(57)【要約】表示パネル（２）に機械的に結合されるバックプレーン又はキャリヤ（２）は、曲げることが可能、又は折り畳むことが可能である。好ましくは、それは一方向にジグザグに折り畳むことが可能であり、広げられた位置におけるジグザグのピッチは、対応する表示パネルの上記方向の大きさに実質的に等しい。これは、特に、第２の方向にバックプレーンもジグザグに折り畳むことが可能であるとき、第２の（折り畳まれた）位置において表示装置の非常に効率的なパッキングをもたらす。
2006501508.tif 000002
【特許請求の範囲】
【請求項１】
各々が表面と裏面とを有する少なくとも２つの表示パネルのアセンブリを有する表示装置であって、前記表面の少なくとも一部は第１の位置に表示面を形成し、前記裏面はフレキシブルキャリヤに機械的に結合している、表示装置。
【請求項２】
前記フレキシブルキャリヤが、折畳み可能なキャリヤ、曲げることが可能なキャリヤ、巻くことが可能なキャリヤ、伸ばすことが可能なキャリヤ、及び広げることが可能なキャリヤを含むグループに属している、請求項１による表示装置。
【請求項３】
前記フレキシブルキャリヤが、ジョイントを通じて相互接続されるサブキャリヤを有する、請求項１による表示装置。
【請求項４】
少なくとも１つの表示パネルが前記キャリヤに対してスライド可能である、請求項１による表示装置。
【請求項５】
前記第１の位置において、隣接するパネルがオーバーラップ部を有し、前記オーバーラップ部は電気的相互接続用の相互接続部を有する、請求項１による表示装置。
【請求項６】
前記キャリヤーのフレキシブルな部分が、少なくともオーバラップ部分において分離する中間位置で、２つの隣接するパネルを収容する、請求項５による表示装置。
【請求項７】
前記フレキシブルキャリヤがジグザグに折り畳むことが可能である、請求項１による表示装置。
【請求項８】
前記フレキシブルキャリヤが一方向にジグザグに折り畳むことが可能であり、広げられた位置におけるジグザグのピッチが、対応するパネルの前記一方向の長さに実質的に等しい、請求項７による表示装置。
【請求項９】
前記フレキシブルキャリヤが前記一方向に実質的に直角の第２の方向に巻くことが可能又は折り畳むことが可能である、請求項７による表示装置。
【請求項１０】
前記フレキシブルキャリヤは前記第２の方向にジグザグに折り畳み可能であり、広げられた位置におけるジグザグのピッチが、対応するパネルの前記第２方向の長さに実質的に等しい、請求項９による表示装置。
【請求項１１】
前記フレキシブルキャリヤが、前記表示パネルを第１の表面において担持する第１のサブキャリヤと第２のサブキャリヤとを有し、前記第１及び第２のサブキャリヤの両方は、ジグザグに折り畳み可能であり且つ第１の方向に同じジグザグのピッチを有し、前記第１及び第２のサブキャリヤは、ジグザグの折畳み領域のうちのどれかの領域において互いに結合されている、請求項７による表示装置。
【請求項１２】
前記第２のサブキャリヤは、前記第１の方向に実質的に直角の第２の方向にジグザグに折畳み可能である、請求項１１による表示装置。
【請求項１３】
前記第２のサブキャリヤが前記ジグザグの折畳み領域において接続タブを有する、請求項１２による表示装置。
【請求項１４】
前記接続タブが、前記第１の方向と直角の第２の方向に、ジグザグ折畳みのピッチのせいぜい半分のピッチで延在している、請求項１３による表示装置。
【請求項１５】
請求項７による表示装置のためのフレキシブルキャリヤであって、第１の表面を有する第１のサブキャリヤと第２のサブキャリヤとを有し、前記第１及び第２のサブキャリヤの両方は、ジグザグに折り畳み可能であり且つ同じジグザグのピッチを有し、前記第１及び第２のサブキャリヤは、ジグザグの折畳み領域のうちのどれかの領域において互いに結合されている、フレキシブルキャリヤ。
【請求項１６】
前記第２のサブキャリヤが前記第１の方向に実質的に直角の第２の方向にジグザグに折畳み可能である、請求項１５によるフレキシブルキャリヤ。
【請求項１７】
前記第２のサブキャリヤが前記ジグザグの折畳み領域のうちのどれかの領域において接続タブを有する、請求項１５によるフレキシブルキャリヤ。
【請求項１８】
前記接続タブが、前記第１の方向と直角の第２の方向に、ジグザグ折畳みのピッチのせいぜい半分のピッチで延在している、請求項１６によるフレキシブルキャリヤ。
【発明の詳細な説明】
【技術分野】
【０００１】
本発明は、各々が第１の面及び第２の面を有し第１の位置において第１の面の少なくとも一部が表示面を形成する少なくとも２つの表示パネルのアセンブリを有する表示装置に関する。斯かるディスプレイは、一般的には、大きな表示パネルが必要とされる場所（例えば、鉄道駅、空港など）で使用される。この新しいものは、少なくとも２つの表示パネルのアセンブリ（マルチパネルディスプレイ）を有する斯かる表示装置に関するが、斯かるディスプレイをハンドヘルド、モバイル装置で使用することを特に排除するものではない。
【０００２】
本発明は、更に、斯かるディスプレイのためのフレキシブルキャリヤに関する。
【背景技術】
【０００３】
米国特許５，６７３，０９１号は、表示パネルの２次元マトリックスが大面積表示装置を構成している表示装置を開示している。これらの表示パネルをルーフタイルの方法で組み立てることによって、隣り合う表示パネルの画素の間に一定のピッチが得られる。
【０００４】
しかしながら、表示装置は固定された構成を有し、これは、電話、ＰＤＡ、及びラップトップのようなモバイルアプリケーションにとってあまり魅力的ではない。斯かるモバイルアプリケーションなどでは、表示装置を、簡単な運搬の場合には（非常に）小さなパッケージ（例えば、ポケット）にしまうことができるということが大きな利点だろう。
【０００５】
第１の解決策は、しまうときに巻くことができ、使用するときに広げることができる表示装置だろう。しかしながら、表示装置を巻くことは、限界がある。ディスプレイの複数の方向のうちの１つだけしか縮小することができず、巻くときの軸方向に関しては変わらない。更に、巻かれた物は有限の半径を有し、これは、表示装置のフレキシビリティ、保全性、及び厚さによって制限される。これは、巻かれた物の厚さに下限を与える。非常に小さい半径に巻くことは非常に薄い表示装置を必要とし、これはへこみ等の影響を受けやすくなる。
【０００６】
第２の解決策、即ち、表示装置自体を二次元的に折り畳むことも、その限界を有する。一般的に、表示装置は、その（局所的）性能を損なうこと無く、折り畳むことはできない。局所的な非常に高い歪みは、斯かる表示装置が非機能的な（弾性）ヒンジを間に伴なう表示パネルからなり、それ故に、それは（非機能的シームのアーチファクトを含む）タイルディスプレイのように動作しそうである。
【発明の開示】
【発明が解決しようとする課題】
【０００７】
本発明は、その目的として、上記の言及された欠点のうちの１つ以上を克服しなければならない。
【課題を解決するための手段】
【０００８】
この目的のため、本発明による表示装置では、裏面がフレキシブルキャリヤに機械的に結合されている。
【０００９】
表示装置材料とは異なる材料とすることができる別個のバックプレーンが備えられているので、このバックプレーンは必要なフレキシブルアプリケーションのために最適化することができる。バックプレーンの材料は、折り畳み可能、曲げることが可能、又は巻くことが可能なものとすることができる。一方、分離している表示パネルはフレキシブルである必要はない。
【００１０】
この特許出願において、用語「折り畳み可能」、「曲げることが可能」、又は「巻くことが可能」が使用されるときはいつでも、これはバックプレーン全体が折り畳み可能、曲げることが可能、又は巻くことが可能であることを意味する必要はない。バックプレーンは、或る場所においてのみ、例えば２つの表示パネルの間の境界の領域において、折り畳み可能とすることができる。
【００１１】
第２の位置において、２つの隣接した表示パネルは、互いに対向する第１の面又は互いに対向する第２の面を有していてもよい。これは、折り畳まれた状態において、２つの隣接した表示パネルの間に存在する他の表示パネルの可能性を排除しない。
【００１２】
他の実施例において、バックプレーンは、少なくとも１つの方向にジグザグに折畳み可能である。
【００１３】
この特許出願において、用語「ジグザクのピッチ」は広げられた状態において折り畳みのパターンが繰り返す距離を示すのに使用される。これは、互いに隣接するジグ及びザグ（或るピッチ距離離れた２つの折り目の間の折畳み部分の２つの別個の部分として規定される）が、折り畳み方向にピッチ長を有することを意味するが、互いに隣り合うジグ及びザグは当該方向に同じ大きさ（長さ）を有する必要はない。
【００１４】
好適実施例では、バックプレーンは一方向にジグザグに折畳み可能であり、広げられた位置におけるジグザグのピッチは、対応する表示パネルの当該方向の大きさと実質的に等しい。これは、特に、バックプレーンが第２の方向にもジグザグに折り畳むことが可能であって、広げられた位置におけるジグザグのピッチが対応する表示パネルの第２の方向の大きさに実質的に等しいとき、表示装置の第２の（折り畳まれた）位置での非常に効率的なパッケージングをもたらす。この点において、ＤＥ１９７１４３０１号は、別個の表示部をジグザグに折り畳むことによって得られる異なる表示パネルの構成を示している点に注意されたい。バックプレーンはそこには示されていないが、機械的な相互接続がジッパーによって得られている。
【００１５】
本発明のこれら及び他の態様は、以下に記載された実施例から明らかであり、その実施例を基準にして説明される。
【００１６】
図は概略的であり一律の縮尺では示されていない。対応する要素は、一般に、同じ参照番号によって示されている。
【発明を実施するための最良の形態】
【００１７】
図１の実施例はタイリングの方法を示しており、ディスプレイ１の表示パネル２はルーフタイルのように互いにオーバーラップしている。パネル２のオーバーラップ部分は、観測者の位置（ディスプレイの前）から見て、表示領域は補完するように調整される。オーバーラップしている部分３において、下の方の表示パネルの表示領域は、例えば透明シールを含む上部表示パネルの透明な縁を通じて見ることができる。上部表示の影響及び下部表示の影響によって生じるパララックスは、ディスプレイの小さい厚さ（例えば＜３００ミクロン）によって抑えられる。通常の電気的接続部を使用することができ、それは上部の表示パネルの下に置かれる。
【００１８】
ルーフタイルに対するのと同様の方法で、タイル状表示パネルと表示パネル領域を補完するタイルの部分との下に存在する電気的接続部の利点を維持しながら、タイル状に並ぶプロセスを図１に示すように２次元的に広げることができる。上部表示パネル上に透明シールを使用することによって、下部表示パネルをオーバーラップ部分において見ることができ、このため、表示パネルの間のシールラインは見えない又は殆ど見えないという点に、他の利点を見つけることができる。
【００１９】
更に、同じ幾何学的面に存在しない２つの隣接した表示パネルから発生するパララックスは、上部表示パネルの厚さの薄いものを選択することによって、小さくなる。必要に応じて、ディスプレイは、オーバーラップの厚さとパララックスとを小さくするために、（例えば、分離後、上部表示パネルの下面を後処理することによって）オーバーラップ部分において薄くすることができる。
【００２０】
重なり合う表示パネルによって引き起こされる光学的欠点（例えば、上部表示パネルによる増加した吸収及びパララックス）は、付加的な手段（例えば、特別な観測者の位置に対してパララックスを防止するための設計をする、透過ＬＣＤのバックライトから局所的な光を増加する、反射ＬＣＤ用のレンズ構造、又は（Ｏ）ＬＥＤディスプレイの場合に特別の基板の付加的な吸収を防止するための特別の放射）によって、更に低減することができる。
【００２１】
また、堅いタイル状に並んだ表示パネルを使用するとき、望ましくない付加的な反射を除去するために、オーバーラップの領域において粘着性の層を使用することができる。
【００２２】
図２は、図１のラインＩＩ−ＩＩに沿う断面において、表示パネル２の裏面４が第１の位置（表示位置）においてどのようにして接続部材７を通じて表示装置１のフレキシブルキャリヤ５に機械的に接続されているかを示す。上記のように、電気的相互接続部６は好ましくはオーバーラップ部３に位置する。図２の差込図に示すように、キャリヤ５は、一方で接続部材７の位置を固定し、他方でキャリヤ５の折り畳みの間にそれらの接続部材を移動可能とするためのスリット８を備えることができる。図２ではスリットはキャリヤ５を貫通していないけれども、別の実現例では、スリットはオープンスリットであり、一方で、接続部材をスリット内に維持するために接続部材はパネルから離れた側において太い部分又は上端部を有する。
【００２３】
２つのパネル２を有するキャリヤ５を折り畳む又は曲げる１つの可能な方法が、パネルの表示側が互いに対向して折り畳まれている（又は曲げられている）図３に示されている。この例では、キャリヤ５全体はフレキシブルであるが、それは、図４に示すように、部分的に堅く特定の部分のみが曲げることが可能（伸縮可能）とすることができる。折り畳んでいる間に、接続部材７は、この例では、ほぼスリット８の端部に移動する。
【００２４】
図４は、３つのパネル２、２’２”を有するキャリヤ５を折り畳む（矢印１１）又は曲げる１つの可能な方法を示し、そのパネルの２つは、パネルの表示側が互いに対向して折り畳まれている（又は曲げられている）。キャリヤ５はフレキシブルであり、部分的に堅く且つ矢印１０の間の部分のみで曲げることが可能（伸縮可能）とすることができる。この例では、第３のパネル２”は、その表示側がパネル２’の非表示側に向かって折り畳められるだけでなく、パネル２’、２”の非表示側が互いに反対に折り畳められる（又は曲げられる）。この例から、特に折り畳みのプロセスの間、接続部材７は、必ずしもキャリヤ５に固定されている必要はない（パネル２’の接続部材７はキャリヤ５に対して自由に動くことができる）ことが明らかである。
【００２５】
図５は、３つのパネル２、２’２”を有するキャリヤ５を折り畳む（矢印１１）又は曲げる１つの可能な方法を示し、そのパネルの２つは、パネルの非表示側が互いに対向して折り畳まれる（又は曲げられる）。第３のパネル２”は、その表示側がパネル２’の非表示側又は表示側に向かって折り畳むことができる。図５（ａ）の例では、キャリヤ５は非常にフレキシブルであり鋭い折り目１２を有する。図５（ｂ）の例では、キャリヤ５は非フレキシブル部１３を有し、それはヒンジ１５で相互に接続される。
【００２６】
図６には、折り畳む、即ちジグザクに折り畳む別の方法が記載されている。明確さの目的のため、表示パネル２（この例では３ｘ３枚のパネルの構成）及びキャリヤ５のみが、電気的及び／又は機械的な相互接続のための領域１６の概略的な表示とともに示されている。この特定の例では、キャリヤ５の領域が全表示領域よりも小さいことに注意する必要がある。
【００２７】
折り畳むとき、フレキシブルなバックプレーン又はキャリヤ５はジグザクに折り畳まれ、一方、表示セクション（パネル２）は、束ねられた状態に互いにスライドする。この方法では、第１の折畳み方向及び第２の折畳み方向が存在する（この折畳み方法は、一方向にのみタイル状に並ぶ表示パネルを折り畳むのにも適用可能である）。
【００２８】
第１の折畳み方向（図６ａの縦方向）では、機械的又は電気的理由のため、図６ｂに概略的に示すように、異なる長さの「ジグ」１５及び「ザグ」１５’を使用する必要がある場合がある。一方、第２の方向の接続を考慮して、表示パネルを積み重ねる交互の方法を得るために、「ザグ」よりも大きい（表示パネルが接続される）「ジグ」のサイズを選択することによって第１の方向の折畳みを適合させる必要がある場合がある。表示パネルへの接続のために、「ジグ」と「ザグ」との間の長さの差を使用することができる（図６ｂにおいて「Ｂ」として示されている）。
【００２９】
第２の方向（図６ａにおいて水平方向）に折り畳むため、バックプレーンは表示パネルタイル部のピッチｐの半分のピッチでジグザグに折り畳まれる（図６ｃ参照）。バックプレーンは、「ジグ」１５の全長に渡って表示セクションに機械的に接続され、（２Ｄディスプレイの場合）第１の方向にずれた部分のピッチ（Ｂ）に渡って機械的に接続されることができる。表示セクションへの電気的接触は、表示セクションとバックプレーンの「ジグ」との間の機械的接触の上又は近くで実現することができる。
【００３０】
等しい長さ（好ましくは１／２ｐ）の「ジグ」１５及び「ザグ」１５’を選択することによって、表示セクションは、単一のセクションと同等の正面のパッケージに（即ち、互いに真上に、図６ｃの右部参照）折り畳むことができる。
【００３１】
図７は、上記第１の方向に折り畳まれた状態で、既に折り畳まれた部分（図７ａ参照）に異なる長さの「ジグ」及び「ザグ」を有し、一方、折り畳まれていない部分は図７ｂの断面図に示すように等しい「ジグ」及び「ザグ」を有する斯かるディスプレイを示す。図７ｂにおいて、参照符号５’及び２’は、或る程度折り畳まれた状態のキャリヤ及び表示パネル（のスタック）を示し、一方、参照符号５”及び２”は、折り畳まれた状態のキャリヤ及び表示パネル（のスタック）を示す。キャリヤ５の後ろを示す図７ｃに概略的に示されるように、表示パネル２のエッジ又は好ましくは角の近くにおいてキャリヤ５に孔を設けることによって、折畳みを容易に行うことができる。
【００３２】
図７の折り畳まれた表示装置は、単一のパネル７の領域よりも大きい領域を有する。これは図８の例で克服されており、それはサブキャリヤ５ａ，５ｂを有するキャリヤ５を示す。図８の下側（図８にａで示されている）は、このキャリヤの一部、即ちサブキャリヤ５ｂを示す。サブキャリヤ５ｂはこの例では折り畳まれていないが、矢印２０によって示されるように、第１の方向に対して直角の第２の方向にジグザグに折り畳み可能である。両方の方向のジグザグは、この例ではピッチｐ１を有する。サブキャリヤ５ｂは、ジグザグの折畳み領域においてサブキャリヤ５ａ，５ｂを互いに接続するための接続タブ２１を有し、折畳み領域におけるこの接続タブ（及び、結果として相互接続部）の幅は、ピッチｐ１のせいぜい半分に制限される。
【００３３】
キャリヤ５は、パネル７が取り付けられているサブキャリヤ５ａ（図８にｂで示されている）を更に有し、この取付領域はピッチｐ１の半分に制限される。方向２０にキャリヤ５を引き伸ばすことによって、サブキャリヤ５ａ、５ｂは互いの方に向かって移動し（矢印２２によって示されている）、第１のサブキャリヤの裏面２３は接続タブ２１に結合される。キャリヤ５は平坦になり、表示パネル７（図８にｃで示されている）は広げられる。
【００３４】
キャリヤを矢印２０で示されているように折り畳むとき、サブキャリヤは互いに矢印２２とは反対に移動する（ただし、互いの方に向かって移動することが排除されるわけではない）。上記の方向（列）のパネルは、ジグザグのため、互いにシフトし、一方、サブキャリヤ５ａの折り畳まれたジグザグは上記方向の隣接するパネルの組の間に残り（図９）、サブキャリヤ５ｂの折り畳まれたジグザグも残る。残りの構造は、矢印２０の方向に対し直角方向（図９の矢印２５）に折り畳まれる。ジグザグの折り畳まれている領域（従って、サブキャリヤ５ａ、ｂの相互接続部）における接続タブ２１の幅は長くてもピッチｐ１の半分に制限されるので、（列の）パネルの積み重なり部分は、ジグザグのために互いにシフトし、一方、サブキャリヤ５ｂの折り畳まれたジグザグの組はパネルの積み重なり部分のそばに残る。
【００３５】
本発明の保護範囲は上記の実施例に限定されず、一方、本発明は、他の表示装置（例えば、電気泳動ディスプレイ又はエレクトロクロミックディスプレイ）にも適用可能である。表示パネルは、異なる技術（例えば、１つ以上の表示パネル２に対する（Ｏ）ＬＥＤ技術、例えばピクチャインピクチャアプリケーション用の他の表示パネル２に対するＬＣＤ技術）で実現することもできる。
【００３６】
一方、ジグザグの折畳み原理において、さらに小さいピッチのジグザクを使用できる。表示パネルは、規則的な間隔で（例えば、２つ又は３つの「ジグ」毎）「ジグ」に固定される。
【００３７】
ディスプレイの別の方法では、フレキシブルな表示パネルが巻かれる。ディスプレイを巻く前に、上記の方法のうちの１つにより折り畳むことによってディスプレイ全体の高さ（幅）を小さくし、その後、セグメントが一緒に巻き上げられる。
【００３８】
さらに、良好な表示性能を得るために、表示パネルのオーバーラップしている部分は下部表示パネルにできるだけ密着していなければならない。これは、エッジが接触するように、広げられたディスプレイをわずかに凹状にする若しくは各表示パネルをわずかに凸状にする、又は表示パネルのエッジが下に存在する表示パネルに（例えば、磁気片によって）引き寄せられるようにすることによって、達成される。また、ディスプレイの背部のクリック機構又はディスプレイを広げる機構も、ディスプレイのエッジを引き合わせる。これは、全てのパネルが同じサイズを有しないとき、タイル状ディスプレイを折り畳むのにも有利である。
【００３９】
本発明は、いずれの新規な特徴及びいずれの特徴の組合せにも存在する。動詞「有する」及びその活用形の使用は、請求項に記載された以外の要素の存在を排除するものではない。要素が単数であることは、斯かる要素の複数の存在を排除しない。
【図面の簡単な説明】
【００４０】
【図１】本発明による表示装置を概略的に示す。
【図２】図１のラインＩＩ−ＩＩに沿う断面を示す。
【図３】折り畳んでいる間の本発明による表示装置の断面を示す。
【図４】折り畳んでいる間の本発明による表示装置の断面を示す。
【図５ａ】折り畳んでいる間の本発明による表示装置の断面を示す。
【図５ｂ】折り畳んでいる間の本発明による表示装置の断面を示す。
【図６ａ】ジグザクの折畳みの原理とともに、本発明による他の表示装置を概略的に示す。
【図６ｂ】ジグザクの折畳みの原理とともに、本発明による他の表示装置を概略的に示す。
【図６ｃ】ジグザクの折畳みの原理とともに、本発明による他の表示装置を概略的に示す。
【図７ａ】ジグザクの折畳みの原理に基づく表示装置を概略的に示す。
【図７ｂ】ジグザクの折畳みの原理に基づく表示装置を概略的に示す。
【図７ｃ】ジグザクの折畳みの原理に基づく表示装置を概略的に示す。
【図８】ジグザクの折畳みの原理に基づく他の表示装置を概略的に示す。
【図９】ジグザクの折畳みの原理に基づく他の表示装置を概略的に示す。
【図１】
2006501508.tif 000003
【図２】
2006501508.tif 000004
【図３】
2006501508.tif 000005
【図４】
2006501508.tif 000006
2006501508.tif 000007
2006501508.tif 000008
2006501508.tif 000009
2006501508.tif 000010
2006501508.tif 000011
【図８】
2006501508.tif 000012
【図９】
2006501508.tif 000013
【国際調査報告】
2006501508.tif 000014
2006501508.tif 000015